(57)【要約】【課題】  苗の植え付けを行いながら農用供給体を田面に供給するように構成された乗用型田植機において、植付作業の開始前に空の貯留部に農用供給体を入れた後に、空気を抜く作業や各部のブリッジ現象を消失させる作業が、適切に行えるように構成する。【解決手段】  苗植付装置５に動力を伝達する植付伝動系と、繰り出し部８０ａ〜８０ｈ，８１ａ〜８１ｄに動力を伝達する農用供給体伝動系とを並列的に配置する。植付伝動系を介して苗植付装置５に動力を伝達し、農用供給体伝動系を介して繰り出し部８０ａ〜８０ｈ，８１ａ〜８１ｄに動力を伝達するように構成する。苗植付装置５よりも上手側の植付伝動系の部分に、動力を伝動及び伝動遮断自在な伝動遮断機構５０を備える。【選択図】        図５
2008173087.tif 000002
【特許請求の範囲】
【請求項１】
苗植付装置と、農用供給体を貯留する貯留部と、前記貯留部の農用供給体を繰り出す繰り出し部と、前記繰り出し部からの農用供給体を田面に供給する供給部とを備え、
前記苗植付装置に動力を伝達する植付伝動系と、前記繰り出し部に動力を伝達する農用供給体伝動系とを並列的に配置して、
前記植付伝動系を介して苗植付装置に動力を伝達し、前記農用供給体伝動系を介して繰り出し部に動力を伝達するように構成すると共に、
前記苗植付装置よりも上手側の植付伝動系の部分に、動力を伝動及び伝動遮断自在な伝動遮断機構を備えてある乗用型田植機。
【請求項２】
前記苗植付装置よりも上手側の植付伝動系の部分に、中立停止位置を備えた植付変速機構を備えて、
前記植付変速機構を伝動遮断機構としてある請求項１に記載の乗用型田植機。
【請求項３】
苗植付装置と、農用供給体を貯留する貯留部と、前記貯留部の農用供給体を繰り出す繰り出し部と、前記繰り出し部からの農用供給体を田面に供給する供給部とを備え、
前記苗植付装置に動力を伝達する植付伝動系と、前記繰り出し部に動力を伝達する農用供給体伝動系とを並列的に配置して、
前記植付伝動系を介して苗植付装置に動力を伝達し、前記農用供給体伝動系を介して繰り出し部に動力を伝達するように構成すると共に、
前記苗植付装置よりも上手側の植付伝動系の部分に、動力を伝動及び伝動遮断自在な植付クラッチを備え、前記繰り出し部よりも上手側の農用供給体伝動系に、動力を伝動及び遮断自在な繰り出しクラッチを備えて、
前記植付及び繰り出しクラッチの両方を伝動状態に操作可能及び両方を遮断状態に操作可能な連動状態と、前記植付及び繰り出しクラッチを独立に操作可能な非連動状態とを、選択可能に構成してある乗用型田植機。
【発明の詳細な説明】
【技術分野】
【０００１】
本発明は、苗の植え付けを行いながら農用供給体（液状や粉粒状の肥料や薬剤等）を田面に供給するように構成された乗用型田植機に関する。
【背景技術】
【０００２】
乗用型田植機では、例えば特許文献１に開示されているように、苗の植え付けを行いながら液状の肥料（農用供給体に相当）を田面に供給するように構成されたものがある。特許文献１では、液状の肥料を貯留する肥料タンク（貯留部に相当）（特許文献１の図１及び図８の２１，３１）、肥料タンクの液状の肥料を圧送する施肥ポンプ（繰り出し部に相当）（特許文献１の図８の２３，３３）、及び施肥ポンプからの液状の肥料を田面に供給する施肥ノズル（供給部に相当）（特許文献１の図１及び図８の２２，３２）を備えている。
【０００３】
特許文献１では、ミッションケース（特許文献１の図５の７０）から伝動軸（特許文献１の図５の７５，７）が延出されて、伝動軸が苗植付装置に接続されており、動力がミッションケースから伝動軸を介して苗植付装置に伝達されている。この場合、特許文献１では、伝動軸（特許文献１の図５の７５）から、伝動系（特許文献１の図５及び図１１の８１，８２）が分岐して施肥ポンプに接続されており、苗植付装置に伝達される動力が分岐して施肥ポンプに伝達されて、施肥ポンプが駆動される。
【０００４】
【特許文献１】特開２００２−２３３２１６号公報
【発明の開示】
【発明が解決しようとする課題】
【０００５】
液状の肥料では、一つの水田に供給する液状の肥料の総量が設定量になるようにする方法が一般的であり、施肥ノズルから一定量の液状の肥料が田面に供給されるようにすることが必要である。
しかしながら、液状の肥料では空気が混入し易く、特に植付作業の開始前に空の肥料タンクに液状の肥料を入れた際に空気が混入し易い。このように液状の肥料に空気が混入すると、施肥ノズルから一定量の液状の肥料が田面に供給されない部分が生じる（液状の肥料に混入した空気が一つの気泡となって施肥ノズルから出ると、その部分だけ液状の肥料が田面に供給されないことになる）。
これにより、植付作業の開始前に空の肥料タンクに液状の肥料を入れた後に、肥料タンク、肥料ポンプ及び肥料ノズルから空気を抜く作業を行わなければならない。これは液状の薬剤を田面に供給する場合でも同様である。
【０００６】
粉粒状の肥料や薬剤を田面に供給する場合、植付作業の開始前に空の貯留部に粉粒状の肥料や薬剤を入れた際に、貯留部の内部や、貯留部と繰り出し部との接続部分の各部に粉粒状の肥料や薬剤のブリッジ現象が発生し易い。このように各部にブリッジ現象が発生すると、繰り出し部を作動させて粉粒状の肥料や薬剤の繰り出しを開始しても、各部のブリッジ現象により繰り出し部から粉粒状の肥料や薬剤の繰り出されない状態が生じるのであり、各部のブリッジ現象が消失して、繰り出し部から粉粒状の肥料や薬剤が繰り出されるまで、少し時間を要することがある。
これにより、植付作業の開始前に空の貯留部に粉粒状の肥料や薬剤を入れた後に、各部のブリッジ現象を消失させる作業を行わなければならない。
【０００７】
本発明は苗の植え付けを行いながら農用供給体を田面に供給するように構成された乗用型田植機において、植付作業の開始前に空の貯留部に農用供給体を入れた後に、空気を抜く作業や各部のブリッジ現象を消失させる作業が、適切に行えるように構成することを目的としている。
【課題を解決するための手段】
【０００８】
［Ｉ］
（構成）
本発明の第１特徴は、乗用型田植機において次のように構成することにある。
苗植付装置と、農用供給体を貯留する貯留部と、貯留部の農用供給体を繰り出す繰り出し部と、繰り出し部からの農用供給体を田面に供給する供給部とを備える。苗植付装置に動力を伝達する植付伝動系と、繰り出し部に動力を伝達する農用供給体伝動系とを並列的に配置して、植付伝動系を介して苗植付装置に動力を伝達し、農用供給体伝動系を介して繰り出し部に動力を伝達するように構成する。苗植付装置よりも上手側の植付伝動系の部分に、動力を伝動及び伝動遮断自在な伝動遮断機構を備える。
【０００９】
本発明の第３特徴は、乗用型田植機において次のように構成することにある。
苗植付装置と、農用供給体を貯留する貯留部と、貯留部の農用供給体を繰り出す繰り出し部と、繰り出し部からの農用供給体を田面に供給する供給部とを備える。苗植付装置に動力を伝達する植付伝動系と、繰り出し部に動力を伝達する農用供給体伝動系とを並列的に配置して、植付伝動系を介して苗植付装置に動力を伝達し、農用供給体伝動系を介して繰り出し部に動力を伝達するように構成する。苗植付装置よりも上手側の植付伝動系の部分に、動力を伝動及び伝動遮断自在な植付クラッチを備え、繰り出し部よりも上手側の農用供給体伝動系に、動力を伝動及び遮断自在な繰り出しクラッチを備える。植付及び繰り出しクラッチの両方を伝動状態に操作可能及び両方を遮断状態に操作可能な連動状態と、植付及び繰り出しクラッチを独立に操作可能な非連動状態とを、選択可能に構成する。
【００１０】
（作用）
乗用型田植機において、植付作業の開始前に空の貯留部に農用供給体を入れた後に、空気を抜く作業や各部のブリッジ現象を消失させる作業を行う場合、供給部から出る農用供給体を容器で受けながら、混入した空気が全て供給部から出で供給部から安定して農用供給体が出るまで、各部のブリッジ現象が消失して供給部から安定して農用供給体が出るまで、繰り出し部を駆動すると言う作業を行う。
【００１１】
特許文献１では前述の「背景技術」に記載のように、ミッションケースから伝動軸が延出され、伝動軸が苗植付装置に接続されて、動力がミッションケースから伝動軸を介して苗植付装置に伝達されており、伝動軸から伝動系が分岐して施肥ポンプに接続され、苗植付装置に伝達される動力が分岐して施肥ポンプに伝達されて、施肥ポンプが駆動されている。これにより、ミッションケースに備えられたクラッチ等によって、伝動軸に動力を伝動及び遮断操作することにより、苗植付装置及び施肥ポンプの両方を駆動する状態と、苗植付装置及び施肥ポンプの両方を停止させる状態が得られる。
従って、空気を抜く作業を行う場合、施肥ポンプを駆動すると（苗植付装置及び施肥ポンプの両方を駆動する状態を設定すると）、空気を抜く作業とは関係がない苗植付装置も一緒に駆動されてしまうので、空気を抜く作業が行い難くなる。
【００１２】
本発明の第１特徴によると、苗植付装置に動力を伝達する植付伝動系と、繰り出し部に動力を伝達する農用供給体伝動系とを並列的に配置して、苗植付装置よりも上手側の植付伝動系の部分に、動力を伝動及び伝動遮断自在な伝動遮断機構を備えている。
これによって、空気を抜く作業や各部のブリッジ現象を消失させる作業を行う場合、植付伝動系に動力が伝達される状態を設定しても、伝動遮断機構を遮断状態に設定しておけば、苗植付装置を停止させた状態で繰り出し部を駆動することができる。
【００１３】
本発明の第３特徴によると、苗植付装置よりも上手側の植付伝動系の部分に、動力を伝動及び伝動遮断自在な植付クラッチを備え、繰り出し部よりも上手側の農用供給体伝動系に、動力を伝動及び遮断自在な繰り出しクラッチを備え、植付及び繰り出しクラッチを独立に操作可能な非連動状態が選択可能に構成されている。
これにより、空気を抜く作業や各部のブリッジ現象を消失させる作業を行う場合、非連動状態を選択しておくことによって、植付クラッチを遮断状態に操作し、繰り出しクラッチを伝動状態に操作しておけば、苗植付装置を停止させた状態で繰り出し部を駆動することができる。
【００１４】
植付作業においては、例えば１回の植付行程が終了して畦際に達すると、畦際で旋回を行い次の植付行程に入ると言う操作を繰り返す。この場合、１回の植付行程が終了して畦際に達すると、植付クラッチを遮断状態に操作して苗植付装置を停止させ、繰り出しクラッチを遮断状態に操作して繰り出し部を停止させるのであり、畦際での旋回を終了して次の植付行程に入る際に、植付クラッチを伝動状態に操作して苗植付装置を作動させ、繰り出しクラッチを伝動状態に操作して繰り出し部を作動させる。
【００１５】
本発明の第３特徴によると、植付作業において連動状態を選択しておくことにより、前述のように１回の植付行程が終了して畦際に達すると、１回の操作で植付及び繰り出しクラッチを遮断状態に操作することができるのであり、植付及び繰り出しクラッチを別々に遮断状態に操作するようなことを行う必要がない。畦際での旋回を終了して次の植付行程に入る際に、１回の操作で植付及び繰り出しクラッチを伝動状態に操作することができるのであり、植付及び繰り出しクラッチを別々に伝動状態に操作するようなことを行う必要がない。
【００１６】
（発明の効果）
本発明の第１及び第３特徴によると、苗の植え付けを行いながら農用供給体を田面に供給するように構成された乗用型田植機において、空気を抜く作業や各部のブリッジ現象を消失させる作業を行う場合、苗植付装置を停止させた状態で繰り出し部を駆動することができ、空気を抜く作業や各部のブリッジ現象を消失させる作業を適切に行うことができるようになって、乗用型田植機の作業性をさせることができた。
【００１７】
本発明の第３特徴によると、植付作業において連動状態を選択しておくことにより、１回の操作で植付及び繰り出しクラッチを伝動及び遮断状態に操作することができ、植付及び繰り出しクラッチを別々に伝動及び遮断状態に操作するようなことを行う必要がないので、乗用型田植機の植付作業での操作性の低下を伴うものではない。
【００１８】
［ＩＩ］
（構成）
本発明の第２特徴は、本発明の第１特徴の乗用型田植機において次のように構成することにある。
苗植付装置よりも上手側の植付伝動系の部分に、中立停止位置を備えた植付変速機構を備えて、植付変速機構を伝動遮断機構としてある。
【００１９】
（作用）
本発明の第２特徴によると、本発明の第１特徴と同様に前項［Ｉ］に記載の「作用」を備えており、これに加えて以下のような「作用」を備えている。
乗用型田植機では植付変速機構を備えることによって、動力が植付変速機構を介して苗植付装置に伝達されるように構成したものがあり、植付変速機構により苗植付装置に伝達される動力を変速することによって、苗植付装置による苗の植付間隔（機体の作業走行速度に対する苗植付装置の植付速度の比）を変更することができる。
【００２０】
本発明の第２特徴によると、苗植付装置よりも上手側の植付伝動系の部分に植付変速機構を備えており、植付伝動系に動力が伝達される状態を設定しても、植付変速機構で変速された動力は繰り出し部に伝達されないので、植付変速機構によって繰り出し部の駆動速度が変化することはない。
【００２１】
本発明の第２特徴によると、植付変速機構に中立停止位置を備えているので、前項［Ｉ］に記載のように、空気を抜く作業や各部のブリッジ現象を消失させる作業を行う場合、植付伝動系に動力が伝達される状態を設定しても、植付変速機構を中立停止位置に操作しておけば、苗植付装置を停止させた状態で繰り出し部を駆動することができる。この場合に、既存の構造と言ってよい植付変速機構を伝動遮断機構に兼用しているので、専用の伝動遮断機構を備える必要がない。
【００２２】
（発明の効果）
本発明の第２特徴によると、本発明の第１特徴と同様に前項［Ｉ］に記載の「発明の効果」を備えており、これに加えて以下のような「発明の効果」を備えている。
本発明の第２特徴によると、植付変速機構を備えた場合、植付変速機構によって繰り出し部の駆動速度が変化せずに農用供給体が安定して繰り出されるようにしながら、既存の構造と言ってよい植付変速機構を伝動遮断機構に兼用することにより、専用の伝動遮断機構を備える必要がなくなり、乗用型田植機の構造の簡素化の面で有利なものとなった。
【発明を実施するための最良の形態】
【００２３】
［１］
図１及び図２に示すように、右及び左の前輪１、右及び左の後輪２を備えた機体の後部に、リンク機構３及びリンク機構３を昇降駆動する油圧シリンダ４が備えられており、リンク機構３の後部に８条植型式の苗植付装置５が支持されて、乗用型田植機が構成されている。
【００２４】
図１及び図２に示すように、苗植付装置５は４個の伝動ケース６、伝動ケース６の後部の右及び左側部に回転駆動自在に支持された植付ケース７、植付ケース７の両端に備えられた一対の植付アーム８、５個の接地フロート９及び苗のせ台１０等を備えており、苗植付装置５の左右方向に沿って配置された支持フレーム６４（図１１及び図１３参照）に、伝動ケース６が後方に向けて片持ち状に連結されて構成されている。これにより、苗のせ台１０が左右に往復横送り駆動されるのに伴って、植付ケース７が回転駆動され、苗のせ台１０の下部から植付アーム８が交互に苗を取り出して田面に植え付ける。
【００２５】
［２］
次に、右及び左の前輪１、右及び左の後輪２への走行伝動系について説明する。
図１に示すように、機体の前部にミッションケース１７が備えられ、ミッションケース１７の前部に連結された支持フレーム１８にエンジン１９が支持されている。ミッションケース１７の右及び左の横側部に右及び左の前車軸ケース２０が連結されており、右及び左の前輪１が右及び左の前車軸ケース２０の縦軸芯周りに操向自在に支持されている。
【００２６】
図５及び図６に示すように、ミッションケース１７の左の横側部における上部の前部に静油圧式無段変速装置２１が連結されており、エンジン１９の動力が静油圧式無段変速装置２１の入力軸２１ａに伝動ベルト８６を介して伝達されている。静油圧式無段変速装置２１は中立停止位置を備え、前進側及び後進側に無段階に変速自在に構成されている。図５及び図６に示すように、静油圧式無段変速装置２１の入力軸２１ａ及び出力軸２１ｂがミッションケース１７の内部に入り込んでおり、伝動軸２２が回転自在にミッションケース１７に支持されて、静油圧式無段変速装置２１の出力軸２１ｂと伝動軸２２とがスプライン構造により連結されている。
【００２７】
図５及び図６に示すように、伝動軸２２に低速ギヤ２４及び高速ギヤ２５が固定されており、伝動軸２２と平行に配置された伝動軸２６に、シフトギヤ２７がスプライン構造にて伝動軸２６と一体回転及びスライド自在に外嵌されている。これにより、シフトギヤ２７をスライド操作して低速ギヤ２４及び高速ギヤ２５に咬合させることによって、静油圧式無段変速装置２１の出力軸２１ｂ及び伝動軸２２の動力が、高低２段に変速されて伝動軸２６に伝達される。
【００２８】
図６に示すように、ミッションケース１７の右の横側部における上部の前部に油圧ポンプ５９が連結されており、油圧ポンプ５９の入力軸５９ａがミッションケース１７の内部に入り込んでいる。静油圧式無段変速装置２１の入力軸２１ａと油圧ポンプ５９の入力軸５９ａとが同芯状に配置されており、静油圧式無段変速装置２１の入力軸２１ａと油圧ポンプ５９の入力軸５９ａとに亘って、伝動軸６０が連結部材６１を介してスプライン構造により連結されている。これにより、エンジン１９の動力が静油圧式無段変速装置２１の入力軸２１ａに伝達され、駆動軸６０を介して油圧ポンプ５９に伝達されて、油圧ポンプ５９が駆動される。
【００２９】
図６に示すように、ミッションケース１７、右及び左の前車軸ケース２０に亘って一対の伝動軸２８が突き合わせて配置され、一対の伝動軸２８の間にデフ機構２９が備えられており、デフ機構２９のケース２９ａが回転自在にミッションケース１７に支持されている。伝動軸２６に伝動ギヤ３０が固定されており、デフ機構２９のケース２９ａに固定された伝動ギヤ３１が伝動ギヤ３０に咬合している。
【００３０】
図６に示すように、円筒部材３２がキー構造により一方の伝動軸２８に一体回転及びスライド自在に外嵌されており、円筒部材３２をスライド操作する操作軸４１、及び操作軸４１に連係されたデフロックペダル（図示せず）が備えられている。これにより、デフロックペダルを踏み操作すると、操作軸４１が回転操作され、円筒部材３２がスライド操作されてデフ機構２９のケース２９ａの端部に咬合するのであり、円筒部材３２をデフ機構２９のケース２９ａの端部に咬合させることによって、デフ機構２９をロック状態とすることができる。
【００３１】
図６に示すように、ミッションケース１７の後部に走行出力軸３４が備えられて後向きに突出しており、デフ機構２９のケース２９ａに固定されたベベルギヤ３５が、走行出力軸３４に備えられたベベルギヤ３６に咬合している。図１に示すように、右及び左の後輪２を支持する後車軸ケース３７が備えられて、走行出力軸３４と後車軸ケース３７の入力軸（図示せず）とに亘って伝動軸３８が接続されている。
これにより、図１及び図６に示すように、静油圧式無段変速装置２１の出力軸２１ｂの動力が、伝動軸２２，２６、デフ機構２９、伝動軸２８を介して右及び左の前輪１に伝達され、デフ機構２９のケース２９ａ、走行出力軸３４及び伝動軸３８を介して右及び左の後輪２に伝達される。
【００３２】
図６に示すように、ミッションケース１７の内部の壁部と走行出力軸３４との間に複数の摩擦板３９が備えられ、円盤状の操作部材４０が走行出力軸３４に相対回転自在に外嵌されており、操作部材４０をスライド操作する操作軸４２、及び操作軸４２に連係されたブレーキペダル（図示せず）が備えられ、ブレーキペダル（図示せず）と静油圧式無段変速装置２１とが機械的に連係されている。これにより、ブレーキペダル（図示せず）を踏み操作すると、静油圧式無段変速装置２１が中立停止位置に操作されて、操作軸４２が回転操作され、操作部材４０がスライド操作されて、操作部材４０が摩擦板３９を押圧し、走行出力軸３４に制動が掛かる。走行出力軸３４に制動が掛かると、デフ機構２９及び伝動軸２８を介して右及び左の前輪１に制動が掛かるのであり、走行出力軸３４及び伝動軸３８を介して右及び左の後輪２に制動が掛かる。
【００３３】
［３］
次に、苗植付装置５への植付伝動系について説明する。
図５及び図６に示すように、円筒部材２３がワンウェイクラッチ４４を介して伝動軸２２に外嵌されており、伝動軸２２に相対回転自在に外嵌された伝動ギヤ４３が円筒部材２３に咬合して連結されている。ワンウェイクラッチ４４により静油圧式無段変速装置２１の出力軸２１ｂの前進の動力が、円筒部材２３及び伝動ギヤ４３に伝達され、ワンウェイクラッチ４４により静油圧式無段変速装置２１の出力軸２１ｂの後進の動力が、円筒部材２３及び伝動ギヤ４３に伝達されない。
【００３４】
図５，６，７に示すように、伝動ギヤ４５及び６枚の伝動ギヤ４６が一体で回転するように互いに連結されて、伝動ギヤ４５及び６枚の伝動ギヤ４６が伝動軸２６に相対回転自在に外嵌されており、伝動ギヤ４３，４５が咬合している。伝動軸２６と平行に配置された伝動軸４７に６枚の変速ギヤ４８が相対回転自在に外嵌されて、６枚の伝動ギヤ４６及び変速ギヤ４８の各々が咬合している。
【００３５】
図５及び図７に示すように、変速ギヤ４８が外嵌された伝動軸４７の部分が中空状（円筒状）に構成されて、この伝動軸４７の部分の外周部に円形の開口部（図示せず）が形成されており、伝動軸４７の開口部にボール３３が配置されている。伝動軸４７に操作ロット４９がスライド操作自在に挿入されており、操作ロッド４９の先端部に大径部４９ａが備えられ、操作ロッド４９の中間部に６個の環状の凹部４９ｂと１個の環状の凹部４９ｃが形成されている。操作ロッド４９の凹部４９ｂ，４９ｃに係合可能なデテントボール６２が、ミッションケース１７に備えられている。
【００３６】
以上のように６枚の伝動ギヤ４６及び変速ギヤ４８及び操作ロッド４９等により、植付変速機構５０（伝動遮断機構に相当）が構成されている。操作ロッド４９をスライド操作して、操作ロッド４９の大径部４９ａにより選択したボール３３を外方に押し出して、選択したボール３３を伝動軸４７の開口部と変速ギヤ４８の内周部とに入り込ませることによって、一つの変速ギヤ４８を伝動軸４７に連結する。これにより、操作ロッド４９により６枚の変速ギヤ４８のうちの一つの変速ギヤ４８を選択して伝動軸４７に連結することによって、伝動軸２６の動力が６段に変速されて伝動軸４７に伝達される。
【００３７】
図７に示すように、植付変速機構５０において、操作ロッド４９をスライド操作して伝動軸２６の動力を６段に変速する場合、変速ロッド４９の凹部４９ｂの一つにデテントボール６２が係合して、操作ロッド４９が保持される。操作ロッド４９の凹部４９ｃにデテントボール６２が係合する位置まで操作ロッド４９をスライド操作すると、操作ロッド４９の大径部４９ａが全てのボール３３から図７の紙面右方に離れる。これにより、全てのボール３３が変速ギヤ４８から伝動軸４７の内方側に離れて、全ての変速ギヤ４８が伝動軸４７に連結されない状態（相対回転自在に外嵌された状態）となるのであり、伝動軸２６の動力が植付変速機構５０で遮断された状態となる（植付変速機構５０を中立停止位置に操作した状態に相当）。
【００３８】
図５及び図７に示すように、ミッションケース１７の後部の上部に出力軸５１が備えられて後向きに突出しており、出力軸５１に相対回転自在に外嵌されたベベルギヤ５２が伝動軸４７に固定されたベベルギヤ５３に咬合している。シフト部材５４がスプライン構造により出力軸５１と一体回転及びスライド自在に外嵌され、シフト部材５４をベベルギヤ５２との咬合側に付勢するバネ５５が備えられて、シフト部材５４をベベルギヤ５２から離し操作する操作ロッド５６が備えられており、伝動軸４７の動力を出力軸５１に伝動及び遮断自在な植付クラッチ５７が構成されている。図１に示すように、出力軸５１と苗植付装置５の入力軸（図示せず）とに亘って、伝動軸５８が接続されている。
【００３９】
これにより、図１，５，６，７に示すように、伝動軸２６の動力が植付変速機構５０、ベベルギヤ５２，５３、植付クラッチ５７、出力軸５１及び伝動軸５８を介して苗植付装置５に伝達される。植付変速機構５０により苗植付装置５（伝動軸４７）に伝達される動力を変速することにより、苗植付装置５（植付アーム８）による苗の植付間隔（機体の作業走行速度に対する苗植付装置５（植付アーム８）の植付速度の比）を変更することができる。
【００４０】
［４］
次に、右及び左の肥料タンク１６（貯留部に相当）、第１，２，３，４，５，６，７，８側条ポンプ８０ａ，８０ｂ，８０ｃ，８０ｄ，８０ｅ，８０ｆ，８０ｇ，８０ｈ（繰り出し部に相当）、及び第１，２，３，４深層ポンプ８１ａ，８１ｂ，８１ｃ，８１ｄ（繰り出し部に相当）の構造について説明する。
【００４１】
図１，２，３に示すように、エンジン１９を覆うボンネット１２の下部の右及び左横側に、畦から運転座席１１への乗降用のステップ１３が備えられており、支持フレーム１８及び前車軸ケース２０から、前及び後の支持フレーム１４が右及び左のステップ１３の横外側に延出され上方に延出されて、４個の予備苗のせ台１４ａが右及び左のステップ１３の横外側に位置するように前及び後の支持フレーム１４に支持されている。
【００４２】
図３，１４，１５に示すように、前及び後の支持フレーム１４に、前及び後の支持フレーム１５が連結されて右及び左横側に延出されており、板材を折り曲げて構成された支持フレーム６３が前及び後の支持フレーム１５に亘って連結されている。液状の肥料（農用供給体に相当）を貯留する右及び左の肥料タンク１６が、支持フレーム６３に載置されて支持されており、右及び左の肥料タンク１６の底部に一体的に形成された前及び後のフランジ部１６ａが、前及び後の支持フレーム１５に連結された固定部１５ａにボルト連結されている。図１，２，３に示すように、右及び左の肥料タンク１６は合成樹脂製で半透明に構成され、縦長状に構成されており、機体の右及び左横側で予備苗のせ台１４ａの下方に、右及び左の肥料タンク１６が前後方向に沿って配置されている。
【００４３】
図３，１４，１５に示すように、右及び左の肥料タンク１６の内部における前後方向中央において、上下軸芯Ｐ１周りに攪拌羽根７８が回転自在に支持され、攪拌羽根７８を回転駆動する電動モータ７９が、右及び左の肥料タンク１６の底部で支持フレーム６３の間に備えられている。これにより、電動モータ７９により攪拌羽根７８を回転駆動し、液状の肥料を攪拌することによって、液状の肥料の固化を防止している。
【００４４】
図１４，１５，１６に示すように、正面視逆三角形状の前及び後のブラケット６５が、支持フレーム６３の前部及び後部に下向きに連結されており、前及び後のブラケット６５に亘って上及び下の補強ロッド６６が連結されている。左の肥料タンク１６の下方において、第１，２，３，４側条ポンプ８０ａ，８０ｂ，８０ｃ，８０ｄ、及び第１，２深層ポンプ８１ａ，８１ｂが、前及び後のブラケット６５に亘って左右方向に向いた状態で、前後方向（左の肥料タンク１６の長手方向に沿う方向）に並べて連結されている。図４に示すように、右の肥料タンク１６の下方において、第５，６，７，８側条ポンプ８０ｅ，８０ｆ，８０ｇ，８０ｈ、及び第３，４深層ポンプ８１ｃ，８１ｄが、前及び後のブラケット６５に亘って左右方向に向いた状態で、前後方向（右の肥料タンク１６の長手方向に沿う方向）に並べて連結されている。
【００４５】
図１４，１５，１６に示すように、第１〜４側条ポンプ８０ａ〜８０ｄ及び第１，２深層ポンプ８１ａ，８１ｂが内部に互いに連通しており、左の肥料タンク１６の前部下部から延出された供給路６７が最前部の第１深層ポンプ８１ａに接続され、左の肥料タンク１６の後部下部から延出された供給路６８，７０が最後部の第４側条ポンプ８０ｄに接続されている。図４に示すように、第５〜８側条ポンプ８０ｅ〜８０ｈ及び第３，４深層ポンプ８１ｃ，８１ｄが内部に互いに連通しており、右の肥料タンク１６の前部下部から延出された供給路６７が最前部の第４深層ポンプ８１ｄに接続され、右の肥料タンク１６の後部下部から延出された供給路６８，７０が最後部の第５側条ポンプ８０ｅに接続されている。
【００４６】
図１４，１５，１６に示すように、供給路６７，６８はゴムホース製でエルボ状に構成されており、供給路７０は合成樹脂製でＴ字状に構成されて、供給路７０から斜め外方下方に向けて排出路７０ａが延出されている（図３参照）。供給路７０の排出路７０ａに開閉弁（図示せず）が内装されており、開閉弁を操作する操作アーム７０ｂが供給路７０の排出路７０ａに備えられている。
【００４７】
これによって、図１４，１５，１６に示すように、左の肥料タンク１６の液状の肥料が供給路６７を介して第１深層ポンプ８１ａの吸引部９９に供給され、供給路６８，７０を介して第４側条ポンプ８０ｄの吸引部９９に供給されて、第１〜４側条ポンプ８０ａ〜８０ｄ及び第１，２深層ポンプ８１ａ，８１ｂの吸引部９９に供給される。図４に示すように、右の肥料タンク１６の液状の肥料が供給路６７を介して第４深層ポンプ８１ｄの吸引部９９に供給され、供給路６８，７０を介して第５側条ポンプ８０ｅの吸引部９９に供給されて、第５〜８側条ポンプ８０ｅ〜８０ｈ及び第３，４深層ポンプ８１ｃ，８１ｄの吸引部９９に供給される。
【００４８】
［５］
次に、第１，２，３，４，５，６，７，８側条ノズル８２ａ，８２ｂ，８２ｃ，８２ｄ，８２ｅ，８２ｆ，８２ｇ，８２ｈ（供給部に相当）、及び第１，２，３，４深層ノズル８３ａ，８３ｂ，８３ｃ，８３ｄ（供給部に相当）の構造について説明する。
図１１及び図１３に示すように、各々の伝動ケース６に支持ブラケット７３が連結されており、支持軸７４が支持ブラケット７３に回転自在に、伝動ケース６の下側を右及び左横側に亘って支持されている。支持軸７４の両端部にブラケット７４ａが備えられ、支持軸７４の中間部にブラケット７４ｂが備えられており、支持軸７４のブラケット７４ｂが支持ブラケット７３にボルト連結されている。
【００４９】
図１１及び図１３に示すように、支持軸７４のブラケット７４ａに、パイプ状の第１及び第２側条ノズル８２ａ，８２ｂ（第３及び第４側条ノズル８２ｃ，８２ｄ）（第５及び第６側条ノズル８２ｅ，８２ｆ）（第７及び第８側条ノズル８２ｇ，８２ｈ）が連結されており、第１〜８側条ノズル８２ａ〜８２ｈが植付ケース７及び植付アーム８の通過軌跡の横近傍に配置されており、第１〜８側条ノズル８２ａ〜８２ｈの出口が田面内の比較的浅い位置に配置されている。図４に示すように、第１〜８側条ポンプ８０ａ〜８０ｈの各々と第１〜８側条ノズル８２ａ〜８２ｈの各々とに亘って、供給ホース８４が接続されている。支持軸７４のブラケット７４ｂが支持ブラケット７３にボルト連結される位置を変更して、支持ブラケット７３に対する支持軸７４の角度を変更することにより、第１〜８側条ノズル８２ａ〜８２ｈの出口の位置を独立に上下に変更することができる。
【００５０】
図１１及び図１２に示すように、支持フレーム６４の４箇所に支持ブラケット７５が連結されて、支持ブラケット７５に支持パイプ１２９が横軸芯Ｐ３廻りに回転自在に支持され、支持ブラケット７５の横軸芯Ｐ３周りに支持パイプ１２９を介して、支持ブラケット７６が揺動自在に支持されている。支持ブラケット７５に形成された複数の開口部７５ａのうちの一つを介して、ボルト７７により支持ブラケット７５，７６を連結することにより、支持ブラケット７５に対する支持ブラケット７６の角度を変更することができる。
【００５１】
図１１及び図１２に示すように、支持パイプ１２９にに支持ブラケット６９が連結されて、支持パイプ１２９の各々にパイプ状の第１〜４深層ノズル８３ａ〜８３ｄが連結されており、図４に示すように、第１〜４深層ポンプ８１ａ〜８１ｄの各々と第１〜４深層ノズル８３ａ〜８２ｄの各々とに亘って、供給ホース８５が接続されている。
【００５２】
図４及び図１１に示すように、第１及び第２側条ノズル８２ａ，８２ｂの間、第３及び第４側条ノズル８２ｃ，８２ｄの間、第５及び第６側条ノズル８２ｅ，８２ｆの間、第７及び第８側条ノズル８２ｇ，８２ｈの間に、第１〜４深層ノズル８３ａ〜８３ｄが配置されており、第１〜４深層ポンプ８１ａ〜８１ｄの出口が第１〜８側条ノズル８２ａ〜８２ｈの出口よりも深い位置に配置されている。この場合、第２及び第３深層ノズル８３ｂ，８３ｃは隣接する接地フロート９の間に配置されており、第１及び第４深層ノズル８３ａ，８３ｄは接地フロート９に開口された長孔９ａを通って延出されている。
【００５３】
図１１及び図１２に示すように、支持ブラケット６９の受け部６９ａと支持ブラケット７６の受け部７６ａとに亘ってバネ８７が接続されて、支持ブラケット７６に対する支持ブラケット６９及び第１深層ノズル８３ａ（第２，３，４深層ノズル８３ｂ，８３ｃ，８３ｄ）の角度（位置）が決められている。前述のように、支持ブラケット７５に対する支持ブラケット７６の角度を変更することにより、第１〜４深層ノズル８３ａ〜８３ｄの出口の位置を独立に上下に変更することができるのであり、第１〜４深層ノズル８３ａ〜８３ｄに下方から障害物が当たった場合、バネ８７が圧縮されながら第１〜４深層ノズル８３ａ〜８３ｄが上方に逃げる。
【００５４】
図１，２，４に示すように、左の肥料タンク１６側の４本の供給ホース８４と２本の供給ホース８５（第１〜４側条ポンプ８０ａ〜８０ｄ及び第１，２深層ポンプ８１ａ，８１ｂと第１〜４側条ノズル８２ａ〜８２ｄ及び第１，２深層ノズル８３ａ，８３ｂとを接続する供給ホース８４，８５）、右の肥料タンク１６側の４本の供給ホース８４と２本の供給ホース８５（第５〜８側条ポンプ８０ｅ〜８０ｈ及び第３，４深層ポンプ８１ｃ，８１ｄと第５〜８側条ノズル８２ｅ〜８２ｈ及び第３，４深層ノズル８３ｃ，８３ｄとを接続する供給ホース８４，８５）、並びにリンク機構３の１つのトップリンク３ａにおいて、リンク機構３のトップリンク３ａの左横側に、左の肥料タンク１６側の４本の供給ホース８４と２本の供給ホース８５が取り付けられ、リンク機構３のトップリンク３ａの右横側に、右の肥料タンク１６側の４本の供給ホース８４と２本の供給ホース８５が取り付けられている。リンク機構３に苗植付装置５を着脱自在に構成した場合、接続及び分離自在なカプラー９７を、供給ホース８４，８５におけるリンク機構３のトップリンク３ａの部分に備える。
【００５５】
以上の構造により、図４及び図１１に示すように、苗植付装置５による苗の植え付けに伴って、後述する［６］に記載のように、第１〜８側条ポンプ８０ａ〜８０ｈ及び第１〜４深層ポンプ８１ａ〜８１ｄが駆動されて、左の肥料タンク１６の液状の肥料が、第１〜４側条ノズル８２ａ〜８２ｄ及び第１，２深層ノズル８３ａ，８３ｂを介して、田面の比較的浅い位置及び深い位置に供給され、右の肥料タンク１６の液状の肥料が、第５〜８側条ノズル８２ｅ〜８２ｈ及び第３，４深層ノズル８３ｃ，８３ｄを介して、田面の比較的浅い位置及び深い位置に供給される。
【００５６】
［６］
次に、第１〜８側条ポンプ８０ａ〜８０ｈ、及び第１〜４深層ポンプ８１ａ〜８１ｄの駆動構造について説明する。
図５及び図８に示すように、ミッションケース１７に第１施肥出力軸８８が回転自在に支持されており、第１施肥出力軸８８がミッションケース１７から外部に突出している。第１施肥出力軸８８に伝動ギヤ９０が固定されて、植付変速機構５０の最も小径の伝動ギヤ４６に伝動ギヤ９０が咬合している。
【００５７】
図５及び図８に示すように、支持ケース９１がミッションケース１７の外部に固定されて、第１施肥出力軸８８と同芯状で相対回転自在に、第２施肥出力軸８９が支持ケース９１に回転自在に支持されている。シフト部材９２がスプライン構造にて第２施肥出力軸８９と一体回転及びスライド自在に外嵌されており、シフト部材９２を第１施肥出力軸８８への咬合側に付勢するバネ９３、シフト部材９２を第１施肥出力軸８８から離間操作する操作軸９４が備えられて、第１施肥出力軸８８とシフト部材９２との間で施肥クラッチ９５（繰り出しクラッチに相当）が構成されている。
【００５８】
図２及び図３に示すように、複数段に変速自在な変速機構９６が右のステップ１３の下部に固定され、図４，５，８，９に示すように、第２施肥出力軸８９に固定された出力スプロケット８９ａと、変速機構９６の入力スプロケット９６ａとに亘って伝動チェーン９８が巻回されている。図２，９，１０に示すように、変速機構９６を変速操作する２本のシフト軸９６ｄが右横側に突出しており、変速機構９６のシフト軸９６ｄをスライド操作する２本の操作レバー７１が、変速機構９６の上下軸芯Ｐ２周りに揺動自在に支持されている。
【００５９】
図２，９，１０に示すように、右のステップ１３において操作レバー７１の上方に位置する部分に開口部１３ａが形成されて、側面視で（図１０参照）で右のステップ１３の開口部１３ａよりも少し下側に、操作レバー７１が配置されており、右及び左ののステップ１３（右のステップ１３の開口部１３ａ）を覆うようにゴム製のステップマット７２が載置されている。通常は、ステップマット７２により右のステップ１３の開口部１３ａ及び操作レバー７２が隠れており、ステップマット７２をめくり上げることによって、右のステップ１３の開口部１３ａから操作レバー７１を操作して、変速機構９６の変速操作を行う。
【００６０】
図３，４，９に示すように、変速機構９６から左の出力軸９６ｂが左横側に延出されており、変速機構９６の左の出力軸９６ｂが支持フレーム１８の上側で伝動ベルト８６の下側を通って、第４側条ポンプ８０ｄの近傍にまで延出されており、図１５及び図１６に示すように、後のブラケット６５に連結された軸受け部６５ａに、変速機構９６の左の出力軸９６ｂが回転自在に支持されている。変速機構９６から右の出力軸９６ｃが右横側に延出されて、第５側条ポンプ８０ｅの近傍にまで延出されており、後のブラケット６５に連結された軸受け部６５ａに、変速機構９６の右の出力軸９６ｃが回転自在に支持されている。
【００６１】
図４，１５，１６に示すように、第１〜８側条ポンプ８０ａ〜８０ｈ及び第１〜４深層ポンプ８１ａ〜８１ｄは、液状の肥料を圧送するローター１００、ローター１００に連結された駆動軸１０１、駆動軸１０１に相対回転自在に外嵌された一対の伝動スプロケット１０２、キー構造にて駆動軸１０１に一体回転及びスライド自在に外嵌されたシフト部材１０３、シフト部材１０３を伝動スプロケット１０２への咬合側に付勢するバネ１０４等を備えて構成されている。第１〜８側条ポンプ８０ａ〜８０ｈ及び第１〜４深層ポンプ８１ａ〜８１ｄの吐出部１０５の最上部にプラグ１０６が接続されて、プラグ１０６に供給ホース８４，８５が接続されている。
【００６２】
図１４及び図１５に示すように、第１〜８側条ポンプ８０ａ〜８０ｈ及び第１〜４深層ポンプ８１ａ〜８１ｄの吐出部１０５の圧力を検出する詰まりセンサー１０７が、第１〜８側条ポンプ８０ａ〜８０ｈ及び第１〜４深層ポンプ８１ａ〜８１ｄの吐出部１０５の最下部に備えられており、詰まりセンサー１０７の表示部１０７ａ（ＬＥＤ等）が詰まりセンサー１０７の下部に備えられている。これにより、詰まりセンサー１０７の表示部１０７ａが機体の右及び左横側に備えられた状態となり、機体の右又は左横側の補助作業者が詰まりセンサー１０７の表示部１０７ａを比較的容易に目視することができる。
【００６３】
図１４，１５，１６に示すように、変速機構９６の左の出力軸９６ｂの端部に出力スプロケット９６ｅが固定されて、第４側条ポンプ８０ｄの伝動スプロケット１０２と、変速機構９６の左の出力軸９６ｂの出力スプロケット９６ｅとに亘って伝動チェーン１０８が巻回されており、第１〜４側条ポンプ８０ａ〜８０ｄ及び第１，２深層ポンプ８１ａ，８１ｂの伝動スプロケット１０２に亘って伝動チェーン１０８が巻回されている。変速機構９６の右の出力軸９６ｃの端部に出力スプロケット９６ｅが固定されて、第５側条ポンプ８０ｅの伝動スプロケット１０２と、変速機構９６の右の出力軸９６ｃの出力スプロケット９６ｅとに亘って伝動チェーン１０８が巻回されており、第５〜８側条ポンプ８０ｅ〜８０ｈ及び第３，４深層ポンプ８１ｃ，８１ｄの伝動スプロケット１０２に亘って伝動チェーン１０８が巻回されている。
【００６４】
以上の構造により図４，５，６，７に示すように、エンジン１９の動力が静油圧式無段変速装置２１、伝動軸２２，２６、デフ機構２９、伝動軸２８を介して右及び左の前輪１に伝達され、走行出力軸３４及び伝動軸３８を介して右及び左の後輪２に伝達される。静油圧式無段変速装置２１の前進の動力がワンウェイクラッチ４４、伝動ギヤ４３，４５、植付変速機構５０（伝動ギヤ４６，４８）、ベベルギヤ５２，５３、植付クラッチ５７、出力軸５１及び伝動軸５８を介して苗植付装置５に伝達される。
【００６５】
図４及び図５に示すように、ワンウェイクラッチ４４と植付変速機構５０（伝動ギヤ４６）との間の動力（植付変速機構５０において、操作ロッド４９により伝動軸２６の動力が６段に変速されて伝動軸４７に伝達される前の動力）が、伝動ギヤ４６，９０、第１施肥出力軸８８、施肥クラッチ９５、第２施肥出力軸８９、伝動チェーン９８、変速機構９６、伝動チェーン１０８、伝動スプロケット１０２及びシフト部材１０３を介して、第１〜８側条ポンプ８０ａ〜８０ｈ及び第１〜４深層ポンプ８１ａ〜８１ｄに伝達される。
【００６６】
図４及び図１５に示すように、液状の肥料が第１〜８側条ポンプ８０ａ〜８０ｈ及び第１〜４深層ポンプ８１ａ〜８１ｄの吸引部９９に入り込み、ローター１００の回転により液状の肥料が、第１〜８側条ポンプ８０ａ〜８０ｈ及び第１〜４深層ポンプ８１ａ〜８１ｄの吐出部１０５に圧送されて、プラグ１０６から供給ホース８４，８５を介して、第１〜８側条ノズル８２ａ〜８２ｈ及び第１〜４深層ノズル８３ａ〜８３ｄに供給される。変速機構９６を変速操作することによって、第１〜８側条ポンプ８０ａ〜８０ｈ及び第１〜４深層ポンプ８１ａ〜８１ｄの駆動速度を変速して、第１〜８側条ポンプ８０ａ〜８０ｈ及び第１〜４深層ポンプ８１ａ〜８１ｄによる液状の肥料の供給量を変更することができる。
【００６７】
この場合、図１５に示すように、第１〜８側条ポンプ８０ａ〜８０ｈ及び第１〜４深層ポンプ８１ａ〜８１ｄの吐出部１０５の最上部にプラグ１０６が接続されているので、第１〜８側条ポンプ８０ａ〜８０ｈ及び第１〜４深層ポンプ８１ａ〜８１ｄの吸引部９９及び吐出部１０５に空気が滞留しかけても、空気がプラグ１０６から供給ホース８４，８５に圧送され易くなる。第１〜８側条ノズル８２ａ〜８２ｈ及び第１〜４深層ノズル８３ａ〜８３ｄ、供給ホース８４，８５に液状の肥料の詰まりが発生すると、液状の肥料の詰まりが発生した第１〜８側条ポンプ８０ａ〜８０ｈ及び第１〜４深層ポンプ８１ａ〜８１ｄの吐出部１０５の圧力が上昇するので、圧力の上昇を検出した詰まりセンサー１０７の表示部１０７ａが点灯する。
【００６８】
［７］
次に、植付クラッチ５７及び施肥クラッチ９５（図５，７，８参照）の操作について説明する。
図２，３，１９に示すように、右及び左の前輪１を操向操作する操縦ハンドル１１６の下側の右横側に操作レバー１１７が備えられて、操作レバー１１７が右の横外方に延出されている。操作レバー１１７は中立位置Ｎから上方の第１上昇位置Ｕ１及び第２上方位置Ｕ２、下方の第１下降位置Ｄ１及び第２下降位置Ｄ２、後方の右マーカー位置Ｒ及び前方の左マーカー位置Ｌの十字方向に操作自在に構成されて、中立位置Ｎに付勢されており、操作レバー１１７の操作位置が制御装置１１８に入力されている。
【００６９】
図１９に示すように、右及び左のマーカー（図示せず）が苗植付装置５の右及び左横側部に備えられており、右及び左のマーカーが田面に接地して次の作業行程の指標を形成する作用姿勢、及び田面から上方に離れた格納姿勢に変更自在に構成されている。右及び左のマーカーを作用及び格納姿勢に操作する電動モータ（図示せず）が備えられており、制御装置１１８により電動モータが作動操作される。植付クラッチ５７を伝動及び遮断状態に操作する電動モータ１１９、施肥クラッチ９５を伝動及び遮断状態に操作する電動モータ１２０が備えられており、制御装置１１８により電動モータ１１９，１２０が作動操作される。
【００７０】
図１９に示すように、操作レバー１１７を第２上昇位置Ｕ２に操作すると（第２上昇位置Ｕ２に操作して中立位置Ｎに操作すると）、電動モータ１１９，１２０により植付及び施肥クラッチ５７，９５が遮断状態に操作され、後述する自動昇降制御が停止され、右及び左のマーカーが格納姿勢に操作されて、苗植付装置５が上限位置まで上昇駆動される。操作レバー１１７を第２下降位置Ｄ２に操作すると（第２下降位置Ｄ２に操作して中立位置Ｎに操作すると）、苗植付装置５が下降駆動され、接地フロート９が田面に接地すると自動昇降制御が作動し、苗植付装置５が田面に接地して停止した状態となる。操作レバー１１７を第２下降位置Ｄ２に操作した後（第２下降位置Ｄ２に操作して中立位置Ｎに操作した後）、操作レバー１１７を再び第２下降位置Ｄ２に操作すると、電動モータ１１９，１２０により植付及び施肥クラッチ５７，９５が伝動状態に操作される。
【００７１】
この場合、自動昇降制御は次のようにして行われる。
苗植付装置５に中央の接地フロート９の後部が上下に揺動自在に支持されて、苗植付装置５に対する中央の接地フロート９の高さを検出するポテンショメータ（図示せず）が備えられており、ポテンショメータの検出値が制御装置１１８に入力されている。機体の進行に伴って中央の接地フロート９が田面に接地追従するのであり、ポテンショメータの検出値により苗植付装置５に対する中央の接地フロート９の高さを検出することによって、田面（中央の接地フロート９）から苗植付装置５までの高さを検出することができる。これにより、苗植付装置５に対する中央の接地フロート９の高さ（田面（中央の接地フロート９）から苗植付装置５までの高さ）に基づいて、苗植付装置５が田面から設定高さに維持されるように（ポテンショメータの検出値が設定値に維持されるように）、油圧シリンダ４が作動操作されて、苗植付装置５が自動的に昇降駆動される。
【００７２】
図１９に示すように、操作レバー１１７を右マーカー位置Ｒに操作すると（右マーカー位置Ｒに操作して中立位置Ｎに操作すると）、右のマーカーが作用姿勢に操作されるのであり、操作レバー１１７を左マーカー位置Ｌに操作すると（左マーカー位置Ｌに操作して中立位置Ｎに操作すると）、左のマーカーが作用姿勢に操作される。
【００７３】
図１９に示すように、操作レバー１１７を第１上昇位置Ｕ１に操作すると、電動モータ１１９，１２０により植付及び施肥クラッチ５７，９５が遮断状態に操作されて、自動昇降制御が停止され、右及び左のマーカー５０が格納姿勢に操作されて、苗植付装置５が上昇駆動される。この場合、操作レバー１１７を第１上昇位置Ｕ１に操作している間だけ苗植付装置５が上昇駆動されるのであり、操作レバー１１７を第１上昇位置Ｕ１から中立位置Ｎに操作すると、苗植付装置５の上昇駆動が停止する。
【００７４】
図１９に示すように、操作レバー１１７を第１下降位置Ｄ１に操作すると、苗植付装置５が下降駆動される。この場合、操作レバー１１７を第１下降位置Ｄ１に操作している間だけ苗植付装置５が下降駆動されるのであり、操作レバー１１７を第１下降位置Ｄ１から中立位置Ｎに操作すると、苗植付装置５の下降駆動が停止する。これにより、操作レバー１１７を第１上昇及び第１下降位置Ｕ１，Ｄ１に操作することにより、リンク機構３（苗植付装置５）を任意の高さに昇降駆動して停止させることができる。
【００７５】
［８］
植付作業の開始前に空の右及び左の肥料タンク１６に液状の肥料を入れた後に、混入した空気を抜く作業を以下のようにして行う。
路上等において、苗植付装置５をスタンド（図示せず）により支持しておき（植付及び施肥クラッチ５７，９５は遮断状態）、第１〜８側条ノズル８２ａ〜８２ｈ及び第１〜４深層ノズル８３ａ〜８３ｄの出口から出る液状の肥料を、容器（バケツ等）（図示せず）で受けることができるようにしておく。
【００７６】
前項［３］、図５，６，７に示すように、植付変速機構５０において、操作ロッド４９の凹部４９ｃにデテントボール６２が係合する位置まで操作ロッド４９をスライド操作して、全ての変速ギヤ４８が伝動軸４７に連結されない状態（相対回転自在に外嵌された状態）として、伝動軸２６の動力が植付変速機構５０で遮断された状態としておく。前項［２］、図５及び図６に示すように、シフト部材２７を中立位置（低速ギヤ２４及び高速ギヤ２５の両方に咬合しない位置）にスライド操作し（右及び左の前輪１、右及び左の後輪２に動力が伝達されない状態）、静油圧式無段変速装置２１を前進側に操作しておく。
【００７７】
以上の状態において、前項［７］及び図１９に示すように、操作レバー１１７を第２下降位置Ｄ２に操作した後に再び第２下降位置Ｄ２に操作して、植付及び施肥クラッチ５７，９５を伝動状態に操作する。これにより、図４及び図５に示すように、静油圧式無段変速装置２１の出力軸２１ｂ及び伝動軸２２の動力が、右及び左の前輪１、右及び左の後輪２に伝達されない状態、並びに苗植付装置５に伝達されない状態で、施肥クラッチ９５を介して前項［６］に記載のように、第１〜８側条ポンプ８０ａ〜８０ｈ及び第１〜４深層ポンプ８１ａ〜８１ｄに伝達される。これにより、第１〜８側条ポンプ８０ａ〜８０ｈ及び第１〜４深層ポンプ８１ａ〜８１ｄ、供給ホース８４，８５、第１〜８側条ノズル８２ａ〜８２ｈ及び第１〜４深層ノズル８３ａ〜８３ｄに混入した空気が、液状の肥料と一緒に第１〜８側条ノズル８２ａ〜８２ｈ及び第１〜４深層ノズル８３ａ〜８３ｄから排出されるのであり、液状の肥料は容器に回収される。
【００７８】
この場合、図１５に示すように、第１〜８側条ポンプ８０ａ〜８０ｈ及び第１〜４深層ポンプ８１ａ〜８１ｄの吐出部１０５の最上部にプラグ１０６が接続されているので、第１〜８側条ポンプ８０ａ〜８０ｈ及び第１〜４深層ポンプ８１ａ〜８１ｄの吸引部９９及び吐出部１０５に空気が滞留しかけても、空気がプラグ１０６から供給ホース８４，８５に圧送され易くなる。第１〜８側条ノズル８２ａ〜８２ｈ及び第１〜４深層ノズル８３ａ〜８３ｄ、供給ホース８４，８５に液状の肥料の詰まりが発生すると、液状の肥料の詰まりが発生した第１〜８側条ポンプ８０ａ〜８０ｈ及び第１〜４深層ポンプ８１ａ〜８１ｄの吐出部１０５の圧力が上昇するので、圧力の上昇を検出した詰まりセンサー１０７の表示部１０７ａが点灯する。
【００７９】
植付作業の終了後に右及び左の肥料タンク１６に残った液状の肥料を回収する場合、図１４及び図１６に示す供給路７０の排出路７０ａの下方に容器（バケツ等）（図示せず）を置き、供給路７０の操作アーム７０ｂにより開閉弁を開操作して、右及び左の肥料タンク１６に残った液状の肥料を供給路７０の排出路７０ａから排出して回収する。
右及び左の肥料タンク１６に残った液状の肥料の回収を終了すると、右及び左の肥料タンク１６に水を入れ、前述と同様に、静油圧式無段変速装置２１の出力軸２１ｂ及び伝動軸２２の動力が、右及び左の前輪１、右及び左の後輪２に伝達されない状態、並びに苗植付装置５に伝達されない状態で、施肥クラッチ９５を介して前項［６］に記載のように、第１〜８側条ポンプ８０ａ〜８０ｈ及び第１〜４深層ポンプ８１ａ〜８１ｄに伝達されるようにする。これにより、第１〜８側条ポンプ８０ａ〜８０ｈ及び第１〜４深層ポンプ８１ａ〜８１ｄ、供給ホース８４，８５、第１〜８側条ノズル８２ａ〜８２ｈ及び第１〜４深層ノズル８３ａ〜８３ｄの内部を洗浄することができる。
【００８０】
［９］
次に、第１〜８側条ポンプ８０ａ〜８０ｈ及び第１〜４深層ポンプ８１ａ〜８１ｄの停止操作構造について説明する。
図１５及び図１６に示すように、第１〜８側条ポンプ８０ａ〜８０ｈ及び第１〜４深層ポンプ８１ａ〜８１ｄの各々の上部に、支持ピン１０９が横向き取り付けられ、支持ピン１０９の各々に操作アーム１１０が揺動自在に支持されて、操作アーム１１０の各々がシフト部材１０３の各々に係合している。
【００８１】
図１，２，１９に示すように、運転座席１１の後側に第１，２，３，４クラッチレバー１１１ａ，１１１ｂ，１１１ｃ，１１１ｄが備えられて、第１〜４クラッチレバー１１１ａ〜１１１ｄの各々に２本のレリーズワイヤ１１２ａ，１１２ｂ，１１２ｃ，１１２ｄのインナーが接続されている。図１４，１５，１７に示すように、第１〜４側条ポンプ８０ａ〜８０ｄ及び第１，２深層ポンプ８１ａ，８１ｂの下部に連結されたブラケット１３０に、第１，２クラッチレバー１１１ａ，１１１ｂのレリーズワイヤ１１２ａ，１１２ｂのアウターが接続され、第５〜８側条ポンプ８０ｅ〜８０ｇ及び第３，４深層ポンプ８１ｃ，８１ｄの下部に連結されたブラケット１３０に、第３，４クラッチレバー１１１ｃ，１１１ｄのレリーズワイヤ１１２ｃ，１１２ｄのアウターが接続されている。
【００８２】
図１５，１７，１９に示すように、第１クラッチレバー１１１ａのレリーズワイヤ１１２ａのインナーが、長孔１１３ａを備えた接続部材１１３を介して、第１，２側条ポンプ８０ａ，８０ｂ及び第１深層ポンプ８１ａの操作アーム１１０に接続されている。
第２クラッチレバー１１１ｂのレリーズワイヤ１１２ｂのインナーが、長孔１１３ａを備えた接続部材１１３を介して、第３，４側条ポンプ８０ｃ，８０ｄ及び第２深層ポンプ８１ｂの操作アーム１１０に接続されている。
第３クラッチレバー１１１ｃのレリーズワイヤ１１２ｃのインナーが、長孔１１３ａを備えた接続部材１１３を介して、第５，６側条ポンプ８０ｅ，８０ｆ及び第３深層ポンプ８１ｃの操作アーム１１０に接続されている。
第４クラッチレバー１１１ｃのレリーズワイヤ１１２ｄのインナーが、長孔１１３ａを備えた接続部材１１３を介して、第７，８側条ポンプ８０ｇ，８０ｈ及び第４深層ポンプ８１ｄの操作アーム１１０に接続されている。
【００８３】
これにより、図１５及び図１９に示すように、第１〜４クラッチレバー１１１ａ〜１１１ｄを伝動位置に操作すると、シフト部材１０３が伝動スプロケット１０２に咬合して、前項［６］に記載のように、第１〜８側条ポンプ８０ａ〜８０ｈ及び第１〜４深層ポンプ８１ａ〜８１ｄが駆動される。
【００８４】
例えば第１クラッチレバー１１１ａを遮断位置に操作すると、レリーズワイヤ１１２ａが引き操作されて、操作アーム１１０により第１，２側条ポンプ８０ａ，８０ｂ及び第１深層ポンプ８１ａのシフト部材１０３が伝動スプロケット１０２から離し操作され、第１，２側条ポンプ８０ａ，８０ｂ及び第１深層ポンプ８１ａが停止する。同様に、第２クラッチレバー１１１ｂにより、第３，４側条ポンプ８０ｃ，８０ｄ及び第２深層ポンプ８１ｂを停止させることができる。第３クラッチレバー１１１ｃにより、第５，６側条ポンプ８０ｅ，８０ｆ及び第３深層ポンプ８１ｃを停止させることができる。第４クラッチレバー１１１ｃにより、第７，８側条ポンプ８０ｇ，８０ｈ及び第４深層ポンプ８１ｄを停止させることができる。
【００８５】
図１５，１６，１８に示すように、第１〜８側条ポンプ８０ａ〜８０ｈ及び第１〜４深層ポンプ８１ａ〜８１ｄの操作アーム１１０の各々の下部に、ピアノ線で構成された操作部材１１４が連結され、操作部材１１４が支持ピン１０９に当て付けられながら上方に延出されている。伝動スプロケット１０２及び操作アーム１１０等を覆うカバー１１５が支持フレーム６３に連結されており、カバー１１５に開口されたレバーガイド１１５ａに、接続部材１１４が通されて上方に延出されている。
【００８６】
図１５，１６，１８に示すように、第１〜４クラッチレバー１１１ａ〜１１１ｄを伝動及び遮断位置に操作することにより、操作アーム１１０が揺動操作されると、操作部材１１４がカバー１１５のレバーガイド１１５ａに沿って移動する。操作部材１１４の上部を手で持って図１５及び図１８の紙面下方に移動させると、操作アーム１１０が揺動操作されて、シフト部材１０３が伝動スプロケット１０２から離し操作されるのであり、操作部材１１４をカバー１１５のレバーガイド１１５ａに係合させることにより、シフト部材１０３を伝動スプロケット１０２から離し操作した状態に保持できる。これにより、第１〜４クラッチレバー１１１ａ〜１１１ｄとは関係なく、操作部材１１４により、第１〜８側条ポンプ８０ａ〜８０ｈ及び第１〜４深層ポンプ８１ａ〜８１ｄの各々を独立で停止させることができる。
【００８７】
［１０］
次に、第１，２，３，４少数条クラッチ１２１ａ，１２１ｂ，１２１ｃ，１２１ｄ、第１，２，３，４縦送りクラッチ１２２ａ，１２２ｂ，１２２ｃ，１２２ｄ、及び第１〜８側条ポンプ８０ａ〜８０ｈ及び第１〜４深層ポンプ８１ａ〜８１ｄとの連係状態について説明する。
図２及び図１９に示すように、伝動ケース６の各々の植付ケース７の支持部に、第１〜４少数条クラッチ１２１ａ〜１２１ｄが左の伝動ケース６から順に備えられている。第１〜４少数条クラッチ１２１ａ〜１２１ｄは１つの伝動ケース６において、２つの植付ケース７に動力を伝動及び遮断状態に操作することにより、２つの植付ケース７を作動及び停止操作する。
【００８８】
図２及び図１９に示すように、苗のせ台１０の苗のせ面の各々に、一対の無端回動ベルト型式の縦送り機構１２３が備えられており、苗のせ台１０の隣接する２つの苗のせ面の縦送り機構１２３が一体で作動するように構成されて、一体で作動する４つの縦送り機構１２３が４組備えられている。苗のせ台１０が右及び左の往復横送り駆動の移動限度に達すると、縦送り機構１２３が所定量だけ駆動されて、苗のせ台１０に載置された苗が苗のせ台１０の下部に送られる。４組の縦送り機構１２３に対して、第１〜４縦送りクラッチ１２２ａ〜１２２ｄが左から順に備えられており、第１〜４縦送りクラッチ１２２ａ〜１２２ｄは、苗のせ台１０の隣接する２つの苗のせ面の縦送り機構１２３に動力を伝動及び遮断状態に操作することにより、苗のせ台１０の隣接する２つの苗のせ面の縦送り機構１２３を作動及び停止操作する。
【００８９】
この場合、図１９に示すように、電動モータ１２４により、第１〜４少数条クラッチ１２１ａ〜１２１ｄ及び第１〜４縦送りクラッチ１２２ａ〜１２２ｄが伝動及び遮断状態に操作される。
第１，２側条ポンプ８０ａ，８０ｂ及び第１深層ポンプ８１ａと、第１少数条クラッチ１２１ａ及び第１縦送りクラッチ１２２ａとが対応している。第３，４側条ポンプ８０ｃ，８０ｄ及び第２深層ポンプ８１ｂと、第２少数条クラッチ１２１ｂ及び第２縦送りクラッチ１２２ｂとが対応している。第５，６側条ポンプ８０ｅ，８０ｆ及び第３深層ポンプ８１ｃと、第３少数条クラッチ１２１ｃ及び第３縦送りクラッチ１２２ｃとが対応している。第７，８側条ポンプ８０ｇ，８０ｈ及び第４深層ポンプ８１ｄと、第４少数条クラッチ１２１ｄ及び第４縦送りクラッチ１２２ｄとが対応している。
【００９０】
図１９に示すように、第１〜４クラッチレバー１１１ａ〜１１１ｄが遮断位置に操作されたことを検出するリミットスイッチ１２５が備えられており、リミットスイッチ１２５の検出信号が制御装置１１８に入力されている。
これにより、前項［９］に記載のように、第１クラッチレバー１１１ａを伝動位置に操作すると、第１，２側条ポンプ８０ａ，８０ｂ及び第１深層ポンプ８１ａが駆動され、第１少数条クラッチ１２１ａ及び第１縦送りクラッチ１２２ａが伝動状態に操作されるのであり、第１クラッチレバー１１１ａを遮断位置に操作すると、第１，２側条ポンプ８０ａ，８０ｂ及び第１深層ポンプ８１ａが停止し、第１少数条クラッチ１２１ａ及び第１縦送りクラッチ１２２ａが遮断状態に操作される。この操作は、第２，３，４クラッチレバー１１１ｂ，１１１ｃ，１１１ｄにおいても同様に行われる。
【００９１】
［発明の実施の第１別形態］
前述の［発明を実施するための最良の形態］において、図７に示すように、操作ロッド４９の凹部４９ｃにデテントボール６２が係合する位置まで操作ロッド４９をスライド操作し、全ての変速ギヤ４８が伝動軸４７に連結されない状態（相対回転自在に外嵌された状態）を得る構成を廃止して、これに代えて図２０に示すように構成してもよい。
【００９２】
図２０に示すように、連動及び非連動位置に操作自在な切換スイッチ１２６、プッシュオン・プッシュオフ型式の植付クラッチスイッチ１２７、プッシュオン・プッシュオフ型式の施肥クラッチスイッチ１２８が備えられており、切換スイッチ１２６、植付及び施肥クラッチスイッチ１２７，１２８の操作信号が制御装置１１８に入力されている。
これにより、切換スイッチ１２６を連動位置に操作していると、前項［７］に記載のように、操作レバー１１７を第２上昇位置Ｕ２及び第２下降位置Ｄ２に操作することによって、電動モータ１１９，１２０により植付及び施肥クラッチ５７，９５が同時に伝動状態に操作され、同時に遮断状態に操作される。
【００９３】
図２０に示すように、切換スイッチ１２６を非連動位置に操作すると、操作レバー１１７を中立位置Ｎに操作している状態において、植付クラッチスイッチ１２７を操作することによって、電動モータ１１９により植付クラッチ５７だけを伝動及び遮断状態に操作することができるのであり、施肥クラッチスイッチ１２８を操作することによって、電動モータ１２０により施肥クラッチ９５だけを伝動及び遮断状態に操作することができる。このように切換スイッチ１２６を非連動位置に操作した状態において、前項［８］に記載のような、植付作業の開始前に空の右及び左の肥料タンク１６に液状の肥料を入れた後に、混入した空気を抜く作業を行えばよい。
【００９４】
［発明の実施の第２別形態］
前述の［発明を実施するための最良の形態］［発明の実施の第１別形態］では、８条植型式の苗植付装置５を示している。これに対して、６条植型式の苗植付装置５では、図２１に示すように、６個の第１〜６側条ポンプ８０ａ〜８０ｆ及び３個の第１，２，３深層ポンプ８１ａ，８１ｂ，８１ｃ、６個の第１〜６側条ノズル８２ａ〜８２ｆ及び３個の第１，２，３深層ノズル８３ａ，８３ｂ，８３ｃ、長孔９ａを備えた３個の接地フロート９を備えている。
【００９５】
５条植型式の苗植付装置５では、図２２に示すように、５個の第１〜５側条ポンプ８０ａ〜８０ｅ及び３個の第１，２，３深層ポンプ８１ａ，８１ｂ，８１ｃ、５個の第１〜５側条ノズル８２ａ〜８２ｅ及び３個の第１，２，３深層ノズル８３ａ，８３ｂ，８３ｃ、長孔９ａを備えた２個の接地フロート９、及び長孔９ａを備えない１個の接地フロート９を備えている。
【００９６】
本発明は、液状の肥料を使用する乗用型田植機ばかりではなく、液状の薬剤、粉粒状の肥料や薬剤を使用する乗用型田植機にも適用できる。
【図面の簡単な説明】
【００９７】
【図１】乗用型田植機の全体側面図
【図２】乗用型田植機の全体平面図
【図３】乗用型田植機の全体正面図
【図４】エンジン、静油圧式無段変速装置、ミッションケース、変速機構、第１〜８側条ポンプ及び第１〜４深層ポンプの伝動系（農用供給体伝動系）、並びに、第１〜８側条ポンプ及び第１〜４深層ポンプと、第１〜８側条ノズル及び第１〜４深層ノズルとの接続状態を示す図
【図５】エンジン、静油圧式無段変速装置、ミッションケース、苗植付装置の伝動系（植付伝動系）、並びに、変速機構、第１〜８側条ポンプ及び第１〜４深層ポンプの伝動系（農用供給体伝動系）を示す図
【図６】ミッションケースの横断平面図
【図７】ミッションケースの出力軸の付近の横断平面図
【図８】ミッションケースの第１及び第２施肥出力軸の付近の横断平面図
【図９】変速機構の付近の平面図
【図１０】変速機構の付近の側面図
【図１１】苗植付装置の側面図
【図１２】第１〜４深層ノズルの支持構造を示す分解斜視図
【図１３】第１〜８側条ノズルの支持構造を示す平面図
【図１４】左の肥料タンク、第１〜４側条ポンプ及び第１，２深層ポンプの付近の側面図
【図１５】左の肥料タンク、第１〜４側条ポンプ及び第１，２深層ポンプの付近の縦断正面図
【図１６】第１〜４側条ポンプ及び第１，２深層ポンプの付近の平面図
【図１７】第１〜８側条ポンプ及び第１〜４深層ポンプの操作アーム、ブラケットの付近の底面図
【図１８】第１〜８側条ポンプ及び第１〜４深層ポンプのカバー、操作部材の付近の側面図
【図１９】第１〜８側条ポンプ及び第１〜４深層ポンプ、植付クラッチ、施肥クラッチ、第１〜４少数条クラッチ、第１〜４縦送りクラッチの連係状態を示す図
【図２０】発明の実施の第１別形態において、第１〜８側条ポンプ及び第１〜４深層ポンプ、植付クラッチ、施肥クラッチ、第１〜４少数条クラッチ、第１〜４縦送りクラッチの連係状態を示す図
【図２１】発明の実施の第２別形態において、６条植型式の苗植付装置の第１〜６側条ポンプ及び第１，２，３深層ポンプと、第１〜６側条ノズル及び第１，２，３深層ノズルとの接続状態を示す図
【図２２】発明の実施の第２別形態において、５条植型式の苗植付装置の第１〜５側条ポンプ及び第１，２，３深層ポンプと、第１〜５側条ノズル及び第１，２，３深層ノズルとの接続状態を示す図
【符号の説明】
【００９８】
５                              苗植付装置
１６                            貯留部
５０                            伝動遮断機構、植付変速機構
５７                            植付クラッチ
８０ａ〜８０ｈ，８１ａ〜８１ｄ  繰り出し部
８２ａ〜８２ｈ，８３ａ〜８３ｄ  供給部
９５                            繰り出しクラッチ
【図１】
2008173087.tif 000003
【図２】
2008173087.tif 000004
【図３】
2008173087.tif 000005
【図４】
2008173087.tif 000006
【図５】
2008173087.tif 000007
【図６】
2008173087.tif 000008
【図７】
2008173087.tif 000009
【図８】
2008173087.tif 000010
【図９】
2008173087.tif 000011
【図１０】
2008173087.tif 000012
【図１１】
2008173087.tif 000013
【図１２】
2008173087.tif 000014
【図１３】
2008173087.tif 000015
【図１４】
2008173087.tif 000016
【図１５】
2008173087.tif 000017
【図１６】
2008173087.tif 000018
【図１７】
2008173087.tif 000019
【図１８】
2008173087.tif 000020
【図１９】
2008173087.tif 000021
【図２０】
2008173087.tif 000022
【図２１】
2008173087.tif 000023
【図２２】
2008173087.tif 000024